(57)【要約】【課題】テーブルを大きくすることなくマウスの操作スペースを別途確保し、コンピュータモニタ装置を用いた診療が円滑になし得る新規な歯科用診療装置を提供する。【解決手段】診療台２と、その周辺部に設置されたコンピュータモニタ装置１２と、移動アーム１１に水平状態を維持して支持され且つ上記診療台２の近傍位置を移動自在とされた本体テーブル１０とを備えた歯科用診療装置において、上記本体テーブル１０の下部には、上記コンピュータモニタ装置１２の制御用マウスｍを移動操作させる為の補助テーブル１３が、上記本体テーブル１０の側辺近傍部に取出し自在に収納保持され、該補助テーブル１３は、本体テーブル１０の側辺近傍部に取出された時には水平状態に保持されるようにしたことを特徴とする。【選択図】図１
2006115924.tif 000002
【特許請求の範囲】
【請求項１】
診療台と、その周辺部に設置されたコンピュータモニタ装置と、移動アームに水平状態を維持して支持され且つ上記診療台の近傍位置を移動自在とされた本体テーブルとを備えた歯科用診療装置において、
上記本体テーブルの下部には、上記コンピュータモニタ装置の制御用マウスを移動操作させる為の補助テーブルが、上記本体テーブルの側辺近傍部に取出し自在に収納保持され、該補助テーブルは、本体テーブルの側辺近傍部に取出された時には水平状態に保持されるようにしたことを特徴とする歯科用診療装置。
【請求項２】
請求項１に記載の歯科用診療装置において、
前記補助テーブルが、前記本体テーブルの下部又は側部に固設された垂直支柱に水平旋回可能に取付けられ、この垂直支柱周りに回動させることによって本体テーブルの下部及び側辺近傍部間で収納・取出しが可能とされていることを特徴とする歯科用診療装置。
【請求項３】
請求項１に記載の歯科用診療装置において、
前記補助テーブルが、前記本体テーブルの下部に設けられた水平スライド機構に支持され、この水平スライド機構に沿ってスライドさせることによって本体テーブルの下部及び側辺近傍部間で収納・取出しが可能とされていることを特徴とする歯科用診療装置。
【請求項４】
請求項１に記載の歯科用診療装置において、
前記補助テーブルが、前記本体テーブルの下部又は側部に取付けられた水平支軸を支点として垂直面域内を回動可能に支持され、この水平支軸周りの垂直面域内での回動によって本体テーブルの下部及び側辺近傍部間で収納・取出しが可能とされていることを特徴とする歯科用診療装置。
【請求項５】
診療台と、その周辺部に設置されたコンピュータモニタ装置と、移動アームに水平状態を維持して支持され且つ上記診療台の近傍位置を移動自在とされた本体テーブルとを備えた歯科用診療装置において、
上記本体テーブルには、上記コンピュータモニタ装置の制御用マウスを移動操作させる為の補助テーブルが着脱自在に装着され、該補助テーブルは、本体テーブルに装着された時には本体テーブルの側辺近傍部に水平状態に保持されるようにしたことを特徴とする歯科用診療装置。
【請求項６】
請求項１乃至５のいずれかに記載の歯科用診療装置において、
前記診療台が、上下昇降自在な座板と、該座板の一端に連結され平行リンク機構により傾動自在とされた背板とよりなり、前記移動アームは平行リンク機構の背板側リンクに固設され、前記本体テーブルは、平行リンク機構の動作による背板の上下傾動に伴い水平状態を維持して上下動するよう移動アームに支持されていることを特徴とする歯科用診療装置。
【発明の詳細な説明】
【技術分野】
【０００１】
本発明は、コンピュータモニタ装置を診療台の周辺部に備え、このコンピュータモニタ装置により診療台上の患者に病状説明等を行うことができる歯科用診療装置に関する。
【背景技術】
【０００２】
歯科の診療装置においては、診療台上に患者を着座させ或いは仰臥させて口腔内の診断・治療を行うだけでなく、診療台の周辺部（例えば、トレーテーブルやユニットテーブル上或いはデンタルライト用支柱更にはスピットン用基台等）に、コンピュータモニタ装置を設置し、このコンピュータモニタ装置に口腔内の映像やＸ線撮影写真等を映し出しながら、患者に病状等の説明をし得るようにしたシステムが採用されるようになった。このようなシステムの採用により、術者と患者との意思の疎通が図れ、より的確な診断・治療の実施に大きく貢献することとなった。特許文献１には、トレーテーブルの一側部にモニタディスプレイを設置し、術者と患者とが同時にモニタディスプレイを見ることができるようにして術者と患者との位置の疎通を図るようにした歯科診療装置が開示されている。
【０００３】
ところで、上記のようなモニタディスプレイはコンピュータモニタ装置の一部を構成するものであるが、そのコンピュータモニタ装置の制御操作は、トレーテーブル或いはユニットテーブル（以下、これらを総称してテーブルと言う）上にマウスを置き、術者がそのマウス操作によってなされることになる。しかし、テーブル上には通常薬品や治療器具が置かれている為、マウス操作をする為のスペースを十分に確保することが難しく、狭いスペース内で無理してマウス操作をしようとすると円滑な移動操作がなされず、また、トレー上の薬品等を落下させてしまうような事態も発生する。特許文献２には、ユニットテーブルを、アームへの取付部を有するテーブル本体と、テーブル本体に対して変位可能な移動テーブル台とで構成した歯科用診療台装置が開示されている。
【特許文献１】特開２００３−３２５５９４号公報
【特許文献２】特公昭６２−２２６２８号公報
【発明の開示】
【発明が解決しようとする課題】
【０００４】
前記特許文献２に開示された歯科用診療台装置におけるユニットテーブルは、ハンガーに係止されているシリンジにはチューブがたれ下がっている為にユニットテーブルを患者の胸上に位置させることができない一方、治療に必要な薬品等は患者の胸上に位置している方が治療に望ましいこともあることから、薬品等を載置する移動テーブル台を、シリンジのハンガーを備えるテーブル本体に対して変位可能としたものであるが、テーブル上面の作業スペースを新たに増加するものではないから、上記のようにマウスの操作スペースを確保しようとすると上記と同様の問題点が生じることになる。また、テーブルにマウス操作用の新たなスペースを確保せんとすると、テーブルが大きくなり、診療台側部における患者や術者の通行の邪魔になる。
【０００５】
本発明は、上記に鑑みなされたものであり、テーブルを大きくすることなくマウスの操作スペースを別途確保し、コンピュータモニタ装置を用いた診療が円滑になし得る新規な歯科用診療装置を提供する点にある。
【課題を解決するための手段】
【０００６】
請求項１の発明に係る歯科用診療装置は、診療台と、その周辺部に設置されたコンピュータモニタ装置と、移動アームに水平状態を維持して支持され且つ上記診療台の近傍位置を移動自在とされた本体テーブルとを備えた歯科用診療装置において、上記本体テーブルの下部には、上記コンピュータモニタ装置の制御用マウスを移動操作させる為の補助テーブルが、上記本体テーブルの側辺近傍部に取出し自在に収納保持され、該補助テーブルは、本体テーブルの側辺近傍部に取出された時には水平状態に保持されるようにしたことを特徴とする。
【０００７】
請求項１の本発明において、前記補助テーブルは、請求項２の発明のように、前記本体テーブルの下部又は側部に固設された垂直支柱に水平旋回可能に取付けられ、この垂直支柱周りに回動させることによって本体テーブルの下部及び側辺近傍部間で収納・取出しが可能とされているものとしたり、請求項３の発明のよう、前記本体テーブルの下部に設けられた水平スライド機構に支持され、この水平スライド機構に沿ってスライドさせることによって本体テーブルの下部及び側辺近傍部間で収納・取出しが可能とされているものとしたり、或いは請求項４の発明のように、前記本体テーブルの下部又は側部に取付けられた水平支軸を支点として垂直面域内を回動可能に支持され、この水平支軸周りの垂直面域内での回動によって本体テーブルの下部及び側辺近傍部間で収納・取出しが可能とされているものとすることができる。
【０００８】
請求項５の発明に係る歯科用診療装置は、診療台と、その周辺部に設置されたコンピュータモニタ装置と、移動アームに水平状態を維持して支持され且つ上記診療台の近傍位置を移動自在とされた本体テーブルとを備えた歯科用診療装置において、上記本体テーブルには、上記コンピュータモニタ装置の制御用マウスを移動操作させる為の補助テーブルが着脱自在に装着され、該補助テーブルは、本体テーブルに装着された時には本体テーブルの側辺近傍部に水平状態に保持されるようにしたことを特徴とする。
【０００９】
そして上記いずれかの本発明において、請求項６の発明のように、前記診療台が、上下昇降自在な座板と、該座板の一端に連結され平行リンク機構により傾動自在とされた背板とよりなり、前記移動アームは上記平行リンク機構の背板側リンクに固設され、前記本体テーブルは、平行リンク機構の動作による背板の上下傾動に伴い水平状態を維持して上下動するよう移動アームに支持されているものとすることも可能である。
【発明の効果】
【００１０】
請求項１或いは請求項５の発明によれば、補助テーブルが、コンピュータモニタ装置の制御用マウスを移動操作させる為の専用テーブルとして使用されるから、上記本体テーブル上に置かれる薬品や器具等によってその操作スペースの制約を受けず、コンピュータモニタ装置を用いた診療が円滑になされる。これにより、患者と術者との意思疎通を図った診療普及に大いに貢献することになる。また、補助テーブルを使用しない時には、この補助テーブルは本体テーブルの下部に収容され（請求項１）、或いは取外されて（請求項５）別置きすることができるから、治療作業や本体テーブル側部の通行に邪魔になることもない。
【００１１】
また、補助テーブルを請求項２〜４の発明のような構成によって、本体テーブルの下部及び側辺近傍部間で収納・取出しが可能となるようにすれば、垂直支柱周りに回動させたり、或いは、水平スライド機構に沿ってスライドさせ、更には、水平支軸周りの垂直面域内で回動させたりするだけで、補助テーブルの収納・取出しがなされるから、その操作が簡易で煩わしさを伴わず、診療の円滑性を損なうようなことがない。
【００１２】
更に、診療台を請求項６の発明のように構成すれば、背板の傾動動作に伴い、本体テーブルが水平状態を保ったまま患者の起伏位置に応じた位置に上下動するから、本体テーブル上での作業が各診療態様に応じた適正位置でなされることになる。また、補助テーブルも本体テーブルの上下動に連動して上下動するから、マウス操作も夫々の位置で円滑になされる。
【発明を実施するための最良の形態】
【００１３】
以下、本発明の最良の形態について図面に基づき説明する。図１は本発明の歯科用診療装置の一例を示す正面図、図２は同平面図、図３は補助テーブルの一実施例を示す図２におけるＡ−Ａ線縦断面図、図４は補助テーブルの他の実施例を示し、（ａ）は図３と同様図、（ｂ）はその動作状態を示す図、（ｃ）は（ａ）におけるＢ−Ｂ線断面図、図５は補助テーブルの他の実施例の図３と同様図、図６（ａ）は同実施例の平面図、（ｂ）は（ａ）におけるＣ−Ｃ線矢視図、（ｃ）は（ａ）におけるＤ−Ｄ線矢視図、図７（ａ）は同実施例の動作状態を示す側面図、（ｂ）は（ａ）におけるＥ−Ｅ線矢視図、図８は補助テーブルの他の実施例を示し、（ａ）は図３と同様図、（ｂ）はその平面図、図９は本発明の歯科用診療装置の他の実施例を示す正面図、図１０は同平面図である。
【実施例１】
【００１４】
図１及び図２において、１は歯科診療台２を支持する基台であり、該基台１内には診療台２を上下昇降させる為の油圧等による昇降機構１ａが内蔵されており、診療台２は実質的にこの昇降機構１ａにより支持されている。診療台２は、昇降機構１ａに支持された座席シート（座板）３と、該座席シート３の一端に起伏自在に連結された背板シート（背板）４と、該背板シート４の他端に傾動自在に取付けられたヘッドレスト５とよりなる。上記昇降機構１ａ及び背板シート４を起伏させるための機構（不図示）等は、床面に配置されるフートコントローラ６の足踏み操作によりその駆動制御がなされる。背板シート４の肩部には、歯科治療用の各種ハンドピース、バキュームシリンジなどの各種インスツルメント７が、繰出し自在に保持されている。
【００１５】
また、上記診療台２の側部にはうがい用スピットン８が設置され、このスピットン８の基台８ａにはデンタルライト用支柱９ａが立設され、この支柱９ａには水平旋回且つ屈折可能なハンガーアーム９ｂを介してデンタルライト９が取付けられている。スピットン８は、歯科治療中患者が口腔内を清浄化するためのもので、給水栓８ｂ、うがい液を排出するためのベースン８ｃ等から構成される。デンタルライト９は、診療台２上に着座し、或いは仰臥した患者の口腔内を照射するものであり、水平旋回且つ上下・左右屈折可能な多関節のハンガーアーム９ｂの先端に首振り可能に取付けられており、術者の手動操作或いは電動操作によって、適正位置に位置決めされ口腔内に照射される。
【００１６】
座席シート３の下面であって、背板シート４の連結部近傍で且つ幅方向ほぼ中央部には、トレーテーブル（本体テーブル）１０用の移動アーム１１を取付ける為の取付けブラケット１１ａが固設されている。このブラケット１１ａには、移動アーム１１が水平旋回可能に枢着されている。該移動アーム１１は、第１アーム１１ｂ及び第２アーム１１ｃからなり、第１アーム１１ｂの基部が上記ブラケット１１ａに枢着されている。この第１アーム１１ｂは、座席シート３のほぼ外周部までの長さを有し、またＬ型に形成されてトレーテーブル１０の適正高さ位置を確保するようになされている。該第１アーム１１ｂの先端（上端）には第２アーム１１ｃの基部が枢着され、第２アーム１１ｃが第１アーム１１ｂに対して相対的に水平旋回可能とされている。そして、第２アーム１１ｃの先端にはトレーテーブル１０が軸回転可能に支持されている。
【００１７】
トレーテーブル１０の下面（背面）中心部には垂直支持軸１０ａが固設され、上記第２アーム１１ｃの先端部には、この垂直支持軸１０ａを軸回転可能且つ軸方向に沿って摺動可能に受止するスリーブ部１１ｄが形成されている。従って、トレーテーブル１０は、手操作によりこの垂直支持軸１０ａの軸心を中心として水平回転させることができる。また、スリーブ部１１ｄには、先端が垂直支持軸１０ａの周面に緊合してトレーテーブル１０を所望高さ位置に保持するための操作ノブ付ロック手段１１ｅが螺装されている。このロック手段１１ｅを緩めれば、垂直支持軸１０ａのスリーブ部１１ｄに対する摺動をしてトレーテーブル１０を上下動させることができ、所望の高さ位置でロック手段１１ｅを締め付ければ、トレーテーブル１０はその位置で保持される。
【００１８】
トレーテーブル１０は、基本的には左右線対称に形成されるが、使い勝手を重視するような場合は左右対称でなくても良い。また、その表面または側面には薬品や治療器具等を置く為の凹み部や各種インスツルメント７を背板シート４の肩部から繰出し一時的に係止するための係止部を設けられている。このトレーテーブル１０の一側部には、コンピュータモニタ装置の一部を構成するモニタディスプレイ装置１２が設置され、前記口腔内の映像やＸ線撮影写真等の映像等が適宜映し出されるようになされている。コンピュータモニタ装置を構成するコンピュータ本体は、図示は省略するが、診療台２周辺の適宜位置に設置され、後記するマウス操作による制御信号を受信し、この受信信号に基づく映像信号をモニタディスプレイ装置１２に送信してディスプレイ上に再生する。尚、モニタディスプレイ装置１２の設置場所は、トレーテーブル１０の一側部に限らず、例えば、スピットン８の基台８ａやデンタルライト用支柱９ａ等、術者及び患者が同時に見ることができる位置であればよい。
【００１９】
図２は、本歯科用診療装置において、背板シート４を図１の二点鎖線のように倒し、患者を仰臥させた状態で治療する場合に、トレーテーブル１０が様々な位置を取り得ることを示す。即ち、実線で示す位置は、術者がヘッドレスト５の延長線上、所謂１２時の位置で治療する場合に、術者が薬品や治具などを扱い或いはモニタディスプレイ装置１２を見るのに最も適した位置である。また、患者もこのモニタディスプレイ装置１２を術者と同時に見ることができ、両者の意思疎通が図られる。二点鎖線で示す位置は、術者が９時ないし１０時の位置で治療する場合に適した位置である。図には示さないが、診療台２の中心線を挟んでこれらと対象の位置にトレーテーブル１０を移動させることができ、左利きの術者にも扱い易い位置にトレーテーブル１０を位置移動させることができる。
【００２０】
上記のようなトレーテーブル１０の位置設定は、術者がこのトレーテーブル１０を持って、適宜移動アーム１１を旋回させ、或いはトレーテーブル１０をその支持軸１０ａの周りに回転させることによりなされるから、極めて簡易になされる。しかも、移動アーム１１は背板シート４の背後の空間で旋回されるから、診療台２上の患者上を横断することがなく、患者に圧迫感を与えることがない。
【００２１】
上記トレーテーブル１０の一側辺部下部には、マウスｍを移動操作させる為の補助テーブル１３が、トレーテーブル１０の側辺近傍部に取出し自在に収納保持されている（但し、図１、図２は取出した状態を示す）。この補助テーブル１３の詳細を図３により説明する。トレーテーブル１０の一側辺部下面には垂直支柱１４が固設され、一方補助テーブル１３の一側部上面には、断面Ｔ字形の支持ピン１３ａが固設されている。この支持ピン１３ａの小径部にはスリーブ１３ｂが套嵌され、スリーブ１３ｂと支持ピン１３ａとは相互の回動が可能とされている。垂直支柱１４の下端に形成された保持穴１４ａに、嵌合状態のスリーブ１３ｂと支持ピン１３ａとを下から挿入し、垂直支柱１４の外周より固定ピン１４ｂでスリーブ１３ｂを垂直支柱１４に固定することにより補助テーブル１３が垂直支柱１４の軸周りに回動可能に保持される。
【００２２】
図３における２点鎖線は、補助テーブル１３がトレーテーブル１０の下部に収納保持されている状態を示し、この状態から補助テーブル１３を、手操作により垂直支柱１４の軸周りに回動させれば、図の実線のようにトレーテーブル１０の側辺近傍位置に取出すことができ、補助テーブル１３のテーブル面上では、マウスの移動操作が可能とされる。特に、トレーテーブル１０とは別個に設けられているから、薬品や器具等によりその操作スペースが制約されず、円滑なマウスの移動操作が保証される。そして、マウス操作をしない場合は、補助テーブル１３上にマウスを置いたまま垂直支柱１４の軸周りに回動させることにより、補助テーブル１３をトレーテーブル１０の下部に収納保持させることができ、補助テーブル１３が診療作業やトレーテーブル１０の側辺部の通行の邪魔になることがない。尚、補助テーブル１３のテーブル面上に、マウスの移動操作を円滑にする為のマウスパッド（不図示）を置き或いは貼り付けるようにしてもよい。また、垂直支柱１４をトレーテーブル１０の側部に固設してもよい。
【実施例２】
【００２３】
図４に示す例は、補助テーブル１３が、スライド機構１５によってユニットテーブル（本体テーブル）１０の下部及び側辺近傍部間で収納・取出しが可能とされている例を示すものである。ユニットテーブル１０は厚みがあり、この厚み内に補助テーブル１３の収納空所１５ａが形成されている。この収納空所１５ａの底板１０ｂの上面に２本の平行な断面鈎型のレール１５ｂ、１５ｂが固設され、補助テーブル１３の下面には、レール１５ｂ、１５ｂの夫々に係合する２本の平行な断面鈎型のスライド部材１５ｃ、１５ｃが固設され、レール１５ｂ、１５ｂ及びスライド部材１５ｃ、１５ｃの係合関係によりスライド機構１５が構成される。レール１５ｂにおける収納空所１５ａ内の奥端部には、ストッパー１５ｄが形成され、スライド部材１５ｃの挿入側端部のストッパー１５ｄへの当接により、補助テーブル１３の過挿入を防止するようになされている。また、スライド部材１５ｃの挿入側端部下面にはボス１５ｅが形成され、一方、上記底板１０ｂの外側縁部上面には隆起部１５ｆが形成され、補助テーブル１３の取出し時にこのボス１５ｅと隆起部１５ｆとの当接係合により補助テーブル１３の抜出し脱落が防止される。
【００２４】
上記補助テーブル１３は、図４（ａ）の収納位置から、スライド機構１５をして矢示方向にスライドさせることによってユニットテーブル１０の側辺近傍位置に取出し、図４（ｂ）のようにその位置で水平状態に保持することができる。従って、上記同様補助テーブル１３のテーブル面上で、マウスの移動操作を円滑に行うことができる。また、補助テーブル１３を収納する場合は、補助テーブル１３を上記とは逆方向にスライドさせるだけで、図４（ａ）の収納位置に復帰させることができ、この状態も上記同様補助テーブル１３がユニットテーブル１０の側辺部に突出しないから診療作業等の邪魔に成ることがない。尚、図例のように各２本の平行なレール１５ｂ及びスライド部材１５ｃによってスライド機構１５を構成する場合、スライド動作が安定して望ましいが、各１本ずつのレールとスライド部材との係合によりスライド機構を構成するようにしてもよい。また、レール１５ｂとスライド部材１５ｃとの間にスライド可能な新たなレール部材を介在させてスライド機構を構成することも可能である。
【実施例３】
【００２５】
図５〜図７は、補助テーブル１３を、トレーテーブル（本体テーブル）１０の下部又は側部に取付けられた水平支軸１６ａを支点として垂直面域内を回動させることによってトレーテーブル１０の下部及び側辺近傍部間で収納・取出しが可能とされている例を示すものである。トレーテーブル１０の側辺部下面には、断面がコの字形の１対の回動支持部材１７が、その横溝１７ａが水平で且つ互い向き合う状態で隔設されている。横溝１７ａの溝底中央部には上記水平支軸１６ａを受容し支持する軸支穴１７ｂが形成され、水平支軸１６ａはこの軸支穴１７ｂに両端部が挿入され、軸回転可能に支持されている。
【００２６】
補助テーブル１３の下面には、上辺部が横向き直状関係で上記水平支軸１６ａを構成する略Ｕ形の支持ブラケット１６が固設されている。該支持ブラケット１６の左右の支持アーム部１６ｂ、１６ｂは、手操作により弾性変形可能とされ、この支持アーム部１６ｂ、１６ｂを互いに向き合う方向に弾性変形させることによって前記軸支穴１７ｂに水平支軸１６ａを挿入し、その復元弾力により水平支軸１６ａの両端部が軸支穴１７ｂに嵌り込んだ状態に維持される。図５は、補助テーブル１３を、トレーテーブル１０の下部に収納保持した状態から、矢視のようにトレーテーブル１０の側辺近傍部に取出保持させる動作の変化を示す。図５の２点鎖線は、補助テーブル１３がトレーテーブル１０の下部に収納保持された状態であって、上記各支持アーム部１６ｂの水平支軸１６ａに連なる屈折部１６ｃが、回動支持部材１７における水平な横溝１７ａの溝壁に担持され、これにより補助テーブル１３が自重で回動することなく、トレーテーブル１０の下部に水平状態に保持される。
【００２７】
補助テーブル１３を、上記収納保持状態からトレーテーブル１０の側辺近傍部へ取出す場合、手操作により支持アーム部１６ｂ、１６ｂを互いに向き合う方向に撓ませ、水平支軸１６ａを軸支穴１７ｂから少許抜出すようにすれば、前記屈折部１６ｃの横溝１７ａの溝壁に対する担持関係が解除され（図７参照）、補助テーブル１３は水平支軸１６ａの軸心回りに回動可能とされる。この状態で補助テーブル１３を押し下げるようにし、途中図５の１点鎖線で示す垂直位置或いは図７（ａ）（ｂ）に示す位置を経た後押し上げるように操作し、補助テーブル１３がトレーテーブル１０の側辺近傍部の水平位置（図５の実線位置）に達すると、支持アーム部１６ｂ、１６ｂの復元弾力により水平支軸１６ａが軸支穴１７ｂに深く嵌り込むと共に屈折部１６ｃが横溝１７ａの溝壁に担持され、図５の実線位置或いは図６に示すようにトレーテーブル１０の側辺近傍部に水平状態で保持される。
【００２８】
上記のようなトレーテーブル１０の側辺近傍部への取出し位置では、トレーテーブル１０上の薬品や器具等の制約を受けることなく、補助テーブル１３のテーブル面上でのマウス操作が円滑になされる。また、補助テーブル１３を使用しない時には、上記とは逆の操作で補助テーブル１３をトレーテーブル１０の下部に収納保持させることができるから、操作は簡単であり、この収納状態では補助テーブル１３がトレーテーブル１０の側辺部に突出しないから、診療作業等の邪魔になることもない。
【実施例４】
【００２９】
図８は、補助テーブル１３をトレーテーブル１０の側辺部に着脱自在に装着した例を示すものである。トレーテーブル１０の側辺部下面には断面コの字形の支持部１８が形成され、一方、補助テーブル１３の下面には、支持プレート１９がその一部が補助テーブル１３の側辺部より突出するよう固設されている。支持部１８の横向凹部１８ａは水平状態とされ、また、横向凹部１８ａの開口縁部には開口部を狭める突条１８ｂが形成されている。支持プレート１９の突出端部は肉厚部１９ａとされ、この肉厚部１９ａを支持部１８の横向凹部１８ａに挿入保持させることにより、補助テーブル１３をトレーテーブル１０の側辺近傍部に水平状態で保持させることができる。そして、この保持状態では、肉厚部１９ａと突条１８ｂとの係合により、補助テーブル１３が図８（ｂ）の反矢示方向Ｇへ不意に抜出し落下するようなことが防止される。
【００３０】
支持部１８を剛体で形成する場合は、図８（ｂ）の矢示方向Ｆより上記補助テーブル１３の挿入保持がなされ、反矢示方向Ｆへの操作によりその脱着がなされる。また、支持部１８、特に突条１８ｂを含む下辺部を弾性変形可能な部材で構成すれば、矢示方向Ｇより肉厚部１９ａを支持部１８の横向凹部１８ａに圧入することにより、補助テーブル１３の上記水平状態での保持が可能とされ、また反矢示方向Ｇへの操作によりその脱着がなされる。このような装脱着の態様は、設計的事項として適宜選択されるものである。
【００３１】
上記のように、補助テーブル１３がトレーテーブル１０に着脱可能に装着されるものとすれば、使用しない時には取外して適宜保管することができる。また、補助テーブル１３が毀損したような場合にはこれのみを交換することができ、メンテナンス性のメリットも付加される。その他の作用効果は上記と同様であるので、ここではその説明を割愛する。
【実施例５】
【００３２】
図９及び図１０は、本発明の歯科用診療装置の他の実施例を示すものであり、座席シート（座板）３の一端に連結される背板シート（背板）４が平行リンク機構２０により傾動自在とされ、本体テーブル１０を支持する移動アーム１１は平行リンク機構２０の背板側リンクに固設されている。即ち、背板シート４は座席シート３に対して連結軸（ピン）２０ａ介し傾動自在に連結され、背板シート４内のヘッドレスト５側部分にはピン２０ｂを介してリンク（片）２０ｃの一端が枢支されている。また、このリンク２０ｃの他端と座席シート３の機枠３ａとの間にピン２０ｄ、２０ｅを介しリンク２０ｆが連架されている。ピン２０ａ及びピン２０ｅ間の距離とピン２０ｂ及びピン２０ｄ間の距離は同一とされ、また、ピン２０ａ及びピン２０ｂ間の距離とピン２０ｄ及びピン２０ｅ間の距離は同一とされ、これらにより平行リンク機構２０が構成される。
【００３３】
座席シート３内には、背板シート４を傾動させる為の駆動手段としての油圧シリンダ２１が設置され、その伸縮ロッド２１ａの先端部が背板シート４の機枠基端部４ａに枢着されている。従って、この伸縮ロッド２１ａの伸縮動作によって、背板シート４は連結軸２０ａを支点として起伏がなされる。油圧シリンダ２１の作動に伴う背板シート４の起伏動作の際、リンク２０ｆはピン２０ｅを支点として上下に揺動するが、ピン２０ａ及び２０ｅ間を結ぶ線分に相当する仮想リンク（片）は固定であるから、これに平行なリンク２０ｃはその仮想リンクと平行状態を保ったまま上下に揺動する。
【００３４】
上記リンク２０ｃには横向き水平な棒状ブラケット１１ａが固設され、その先側は背板シート４の側部に突出している。このブラケット１１ａの先端には第１アーム１１ｂが水平旋回可能に枢着され、更に、該第１アーム１１ｂの先端に第２アーム１１ｃが水平旋回可能に枢着され、これらによりユニットテーブ（本体テーブル）１０を移動可能に支持する移動アーム１１が構成される。第２アーム１１ｃにはユニットテーブ１０が水平状態で設置され、該ユニットテーブ１０は第２アーム１１ｃと共に第１アーム１１ｂに対して操作ノブ１１ｆによって上下位置調整が可能とされている。
【００３５】
斯くして、上記のように平行リンク機構２０を構成する背板シート４側のリンク２０ｃに移動アーム１１の基部が固設されているから、油圧シリンダ２１を作動させて背板シート４を起伏させる際、ユニットテーブ１０は水平状態を保ったまま上下に移動し、常に診療態様に応じた適正な位置に位置付けられることになる。また、ユニットテーブ１０は移動アーム１１をして診療台２の近傍位置を移動自在とされており、図１０は、背板シート４を略水平に倒し、仰臥診療を行う際に、ユニットテーブ１０は所謂１２時の位置に位置付けた状態を示しているが、これを図２の２点鎖線のように９時の位置での診療に適応させるよう移動させ得ることは言うまでもない。
【００３６】
ユニットテーブ１０の一側部には前記と同様のモニタディスプレイ装置１２が設置され、また他側部には各種インスツルメントを係留するためのハンガー２２が形設されている。更に、ユニットテーブ１０の側辺部下面には垂直支柱１４を介してマウスを移動操作する為の補助テーブル１３が、該垂直支柱１４の軸心周りの回動をしてユニットテーブ１０の下部及び側辺近傍部間で収納・取出し可能に取付けられている。而して、補助テーブル１３も背板シート４の起伏動作に連動してユニットテーブ１０と共に上下動するから、マウス操作がし易い夫々の適正位置に常配置され、その操作が円滑になされる。この補助テーブル１３の取付機構は、図例の垂直支柱１４によるものに代え、上記各実施例の機構が採用され得ることは言うまでもない。ここでの補助テーブル１３の他の作用効果は上記と同様であるのでその説明を割愛する。また、図９及び図１０では省略したが、図１及び図２で示されたスピットン８やデンタルライト９等の付帯装置が診療台２の側部に適宜配設し得ることは言うまでもない。その他の構成は上記と同様であるので共通部分には同一の符号を付してその説明を割愛する
【００３７】
尚、本体テーブル１０としてのユニットテーブル及びトレーテーブルと補助テーブル１３の各種取付・支持機構との組合せは実施例のものに限定されず、他の組合せも可能であることは言うまでもない。また、本発明を逸脱しない限り補助テーブル１３の取付・支持機構として他の機構が採用可能であることも言うまでもない。
【図面の簡単な説明】
【００３８】
【図１】本発明の歯科用診療装置の一例を示す正面図である。
【図２】同平面図である。
【図３】補助テーブルの一実施例であって、図２におけるＡ−Ａ線縦断面図である。
【図４】補助テーブルの他の実施例を示し、（ａ）は図３と同様図、（ｂ）はその動作状態を示す図、（ｃ）は（ａ）におけるＢ−Ｂ線断面図である。
【図５】補助テーブルの他の実施例の図３と同様図である。
【図６】（ａ）は同実施例の平面図、（ｂ）は（ａ）におけるＣ−Ｃ線矢視図、（ｃ）は（ａ）におけるＤ−Ｄ線矢視図である。
【図７】（ａ）は同実施例の動作状態を示す側面図、（ｂ）は（ａ）におけるＥ−Ｅ線矢視図である。
【図８】補助テーブルの他の実施例を示し、（ａ）は図３と同様図、（ｂ）はその平面図である。
【図９】本発明の歯科用診療装置の他の実施例を示す正面図である。
【図１０】同平面図である。
【符号の説明】
【００３９】
２      診療台
３      座席シート（座板）
４      背板シート（背板）
１０    本体テーブル
１１    移動アーム
１２    モニタディスプレイ装置（コンピュータモニタ装置）
１３    補助テーブル
１４    垂直支柱
１５    水平スライド機構
１６ａ  水平支軸
２０    平行リンク機構
２０ｃ  平行リンク機構の背板側リンク
ｍ      マウス
【図１】
2006115924.tif 000003
【図２】
2006115924.tif 000004
【図３】
2006115924.tif 000005
【図４】
2006115924.tif 000006
【図５】
2006115924.tif 000007
【図６】
2006115924.tif 000008
【図７】
2006115924.tif 000009
【図８】
2006115924.tif 000010
【図９】
2006115924.tif 000011
【図１０】
2006115924.tif 000012